(57)【要約】【課題】自機器とは異なるネットワーク上の機器で、動作代行させる所望の機能を実施するための消費電力がより少ない機器を選んで、動作代行を実施し省電力化する。【解決手段】  機器がある動作の実行を指示された場合、当該機器は、ネットワーク内の機器より、現在の電源状態と動作状態、将来の動作予定、各機能を動作させた場合の消費電力情報等を取得し、これを基にネットワーク内の各機器について、指示された動作を代行するために必要な追加消費電力を将来の動作予定に基づいて計算し、最小の消費電力で指示された動作を実行できる機器を特定し、当該機器に指示された動作を優先的に代行させるこれにより、効率的に省電力化を達成できる。【選択図】図１
2010147621.tif 000002
【特許請求の範囲】
【請求項１】
ネットワークに接続された複数の機器と通信可能であって、該機器に対して制御を行う処理装置において、
前記処理装置及び／または前記複数の機器における所望の動作について、前記ネットワークに接続された複数の機器のうち、最小の消費電力量で実行可能な機器を特定するための動作予定管理部と、
前記動作予定管理部により特定された前記機器に対し、前記所望動作を代行して実行させるように前記ネットワークを介して制御するための動作モード制御部と、
を備えることを特徴とする処理装置。
【請求項２】
請求項１記載の処理装置において、
更に、前記ネットワークに接続された複数の機器における現在の起動状態、動作状態、将来の動作予定、及び前記所望機能を動作させたときの消費電力情報を含む機器動作情報を前記ネットワークに接続された複数の機器から受信するとともに、前記特定機器に対して前記所望動作を実行させるための制御情報を送信するための通信部を更に備え、
前記動作予定管理部は、前記ネットワークを介して前記通信部で受信した前記機器動作情報を取得し、該取得した機器動作情報に基づき、前記ネットワークに接続された複数の機器を所望の期間動作させるのに必要な消費電力量を計算し、前記最小の消費電力量で前記所望の機能を動作させることが可能な機器を特定するようにしたことを特徴とする請求項１記載の処理装置。
【請求項３】
請求項２記載の処理装置において、
前記所望の動作は、コンテンツを記録するための動作であり、前記動作モード制御部は、当該コンテンツの記録動作を代行した前記特定機器に対して、当該コンテンツについて再生を代行するように制御することを特徴とする処理装置。
【請求項４】
請求項３記載の処理装置において、
前記特定機器によって代行された前記所望動作の履歴情報、該特定機器によって代行記録されたコンテンツの情報、及び前記代行記録を実行した前記特定機器の情報を、前記通信部によって前記ネットワークを介して前記特定機器から受信することを特徴とする処理装置。
【請求項５】
請求項４記載の処理装置において、
更に、前記通信部で受信した情報を保存する記録情報管理部を備えたことを特徴とする処理装置。
【請求項６】
ネットワークに接続された複数の機器に対して所望の機器を実行させるようにしたネットワーク機器の制御方法において、
前記ネットワーク内の機器における所望の動作について、前記ネットワークに接続された複数の機器のうち、最小の消費電力量で所望の動作を実行可能な機器を動作予定管理部により特定するステップと、
前記動作予定管理部により特定された前記機器に対し、前記所望の動作を代行して実行させるように、動作モード制御部により前記ネットワークを介して前記所望動作を制御するステップと、
を備えることを特徴とするネットワーク機器の制御方法。
【発明の詳細な説明】
【技術分野】
【０００１】
本発明は、低消費電力で、ネットワーク上の機器に対して所望の制御を実行させるための技術に関する。
【背景技術】
【０００２】
近年、様々な機器がネットワークで接続され、相互に接続されたネットワーク上での機能共有や動作の代理実行などを行う機器が登場している。例えば、ＨＤＭＩ(High Definition Multimedia interface)を利用した、デジタルテレビとレコーダ間でのコントロール一元化や機能共有、及びＮＡＳ(Network-Attached Storage:ネットワーク経由で利用する外部記憶装置)の利用によるコンテンツの共有などがあげられる。さらに、ネットワークを利用して他の機器と連携して録画などを実施する技術が、例えば特許文献１に知られている。
【０００３】
特許文献１には、記録再生装置による予約録画機能において、自分の記録再生装置で予約録画ができないと判断した場合、該当する予約録画に関する情報をネットワーク上に存在する別の機器に転送して実行することを開示している。
【０００４】
【特許文献１】特開平８−５６３５２号広報
【発明の開示】
【発明が解決しようとする課題】
【０００５】
しかしながら、特許文献１は、消費電力の低減については考慮されていない。例えば、ネットワーク上に存在する機器に、長時間の録画動作や大容量のコンテンツダウンロード動作などを代行させる場合において、特に、同時に多数の動作が重複した場合などでは、多数の機器を並行して長時間利用することによって、ネットワーク全体での消費電力を増大させてしまうという問題があった。
【０００６】
本発明は、上記課題に鑑みて為されたものであり、消費電力を低減しつつネットワーク上の機器と連係動作をさせることが可能な技術を提供するものである。
【課題を解決するための手段】
【０００７】
本発明は、映像表示装置における所望の動作（例えばコンテンツの記録、再生）について、ネットワークに接続された複数の機器のうち、最小の消費電力量で所望の動作を実行可能な機器を特定し、この特定された機器に対し、前記映像表示装置における所望の動作を代行させるようにネットワークを介して制御するように構成したことを特徴とするものである。
【０００８】
上記機器の特定は、例えば、ネットワークに接続された複数の機器における現在の起動状態、動作状態、将来の動作予定、及び前記所望機能を動作させたときの消費電力情報を含む機器動作情報を前記ネットワークに接続された複数の機器から受信して取得し、この取得した機器動作情報に基づき、前記ネットワークに接続された複数の機器を所望の期間動作させるのに必要な消費電力量を計算することにより行われる。
【発明の効果】
【０００９】
本発明によれば、ネットワーク上の機器に動作を代行させる場合において、動作代行の実施中に動作予定となる機器を優先的に利用することで、同時に起動状態となる機器を少なくすることが可能となり、ネットワーク機器全体での消費電力削減を達成することができる。
【発明を実施するための最良の形態】
【００１０】
以下、本発明の実施形態について図面を参照しつつ説明する。
【実施例１】
【００１１】
まず、本発明の第1実施例について、ネットワーク内の他機器に代行させる動作として、予約録画や予約ダウンロード等を例にして図１〜５を参照しながら説明する。
【００１２】
本実施例は、図１の機能構成図により、主な特徴を示すことができる．映像処理装置２００において、予約録画や予約ダウンロード実行以前に、動作予定管理部２２２が、通信部２１０によりネットワークを通じて、ネットワークに接続された複数の機器に関して、現在の動作状態と将来の動作予定、各機能を動作させたときの消費電力情報などの機器動作情報を受信して取得する。動作予定管理部２２２は、更に、この取得した機器動作情報に基づいて、各機器における所望の機能を所望の期間動作させるのに必要な消費電力量や動作予定が記載されたネットワーク内の機器に関する動作予定表を作成し、最小の消費電力量で当該機能を動作させることができる機器を特定する。そして特定した機器に、録画動作を優先的に代行させることで、本来は複数の機器で行うはずであった動作について、電力利用効率の高い少ない機器にまとめることができ、複数の機器を同時に立ち上げてしまうことなどによる起動状態保持電力などの無駄も取り除くことで、消費電力量を低減することが可能である。
【００１３】
上記起動状態保持電力とは、起動状態を保持するための電力を示し、例えば、記録部２４０などでの利用が想定されるＨＤＤドライブの待機電力やチューナ部２３０の待機電力、通信部２１０の待機電力などが含まれている。高い応答性が求められる機器であれば、これらの電力を高くせざるを得ないため、上記起動状態保持電力の削減を実施することで、消費電力量の効率的な低減を行うことができる。
【００１４】
以下、本実施例の構成、動作についてより詳細に説明する。
〔第１実施例の構成〕
図１の機能構成図を用いて、第１実施例の構成について説明する。本実施例は、公共ネットワーク１、ダウンロードサーバ２、ルータ３、放送局４、表示装置１００、映像処理装置２００、映像処理装置３００で構成されるものである。ただし、表示装置１００と映像処理装置２００以外のネットワーク内における全ての機器は、映像処理装置３００が代表しており、映像処理装置３００は、１つ以上の機器と考えてよい。
【００１５】
表示装置１００は、ネットワーク上の機器と通信を行う通信部１１０、各種演算や入出力制御を行う制御部１２０、映像、音声、テキストデータなどを出力するための出力部１３０、及びユーザからの指示を受け取る入力部１４０を備えている。更に、表示装置１００は、ネットワーク内の機器からの映像コンテンツや各種情報を受け取って出力部１３０へ出力する機能を備えており、例えば、映像処理装置２００から受け取った録画制御用の情報や録画コンテンツ情報を出力部１３０へ出力する。また表示装置１００は、入力部１４０に入力されたユーザの操作情報について、通信部１１０を介して映像処理装置２００へ送信する機能も有している。
【００１６】
映像処理装置２００は、ネットワーク上の機器と通信を行う通信部２１０、演算や入出力制御を行う制御部２２０、映像コンテンツや制御情報を格納する記録部２４０、放送局４からの放送波を受信するチューナ部２３０を備えている。
【００１７】
映像処理装置２００は、放送局４の放送をチューナ部２３０で受信し、制御部２２０を介して、記録部２４０へ記録する録画機能を備える。またこの記録部は、公共ネットワーク１とルータ３を通じて通信部２１０で受信したダウンロードサーバ２のコンテンツも制御部２２０を介して記録するように構成されている。
【００１８】
記録部２４０は、放送やダウンロードのコンテンツ、制御情報などを保存することが可能なように、ハードウェア的には、ハードディスク、光ディスク、フラッシュメモリなどの大容量の記憶容量を有するストレージデバイスで構成されている。
【００１９】
映像処理装置２００の制御部２２０は、図１に示されるように、予約動作制御部２２１、動作予定管理部２２２、動作モード制御部２２３、記録情報管理部２２４を有する。予約動作制御部２２１は、設定された時間に録画やダウンロード等の機能の実行制御を行うものである。動作予定管理部２２２は、通信部を２１０介してネットワーク上の機器の動作予定を収集し、より少ない電力で所望する機能を実行できるような、ネットワーク内の機器を特定するものである。動作モード制御部２２３は、動作予定管理部２２２で特定した機器に対する電源ＯＮ／ＯＦＦや動作代行の制御、スタンバイモードや通常の起動モード間の遷移を制御するものである。記録情報管理部２２４は、記録部２４０に保存したコンテンツの情報などの他に、ネットワーク内の機器に録画動作やダウンロード動作の代行を依頼したときのコンテンツの情報や、代行先の機器情報を保存するものである。
【００２０】
より詳しくは、動作予定管理部２２２は、所望の機能を動作させる前に、通信部２１０を介して、ネットワーク内の機器に関する現在の動作状況と将来の動作予定、及び各動作に必要とされる消費電力に関する情報を含む機器動作情報を収集し、所望の機能が動作予定である時間全体で、最小の消費電力で動作を実行できる状態にある機器を特定するものである。ここで、所望の機能とは例えば予約録画や予約ダウンロードなどであり、予め実行内容が決定している機能であるが、放送の視聴等、他の機能としてもよい。
【００２１】
動作予定管理部２２２が動作予定を収集するネットワーク内の機器とは、公共ネットワーク１とはルータ３などによって隔てられた、ローカルなネットワークに接続された機器を指し、自機器も含まれている。ただし、公共ネットワーク１を介した他機器も利用することが可能である。
【００２２】
動作予定管理部２２２が収集する将来の動作予定の内容とは、例えば、あるネットワーク内の機器における予約録画や予約ダウンロード、予約視聴の状況や、ファームウェアのアップデート予定など、将来、当該機器が動作を行うことが確定している情報である。
【００２３】
動作モード制御部２２３は、動作予定管理部２２２によって特定されたネットワーク機器を調べ、当該ネットワーク機器が自機器ではなかった場合、当該ネットワーク機器に対する起動状態とスタンバイ状態との間での遷移操作、当該ネットワーク機器に対する所望の動作に関する代行依頼、自機器に関する起動状態とスタンバイ状態との間での遷移操作などを行う。
〔第１実施例の動作〕
次に、以上のような機能的構成を有する本実施例におけるシステムの動作を、図面を参照しながら説明する。
【００２４】
まず、代行動作として、５時から７時の予約録画を代行させる場合の動作について、図２をもとにして説明する。
【００２５】
最初に、予約動作制御部２２１は、予約タイマーなどにより、予約された録画時間が近づいたことを検知し、録画時間や録画番組など、録画動作の情報を動作予定管理部２２２に通知する（ＦＡ０１）。
【００２６】
続いて、動作予定管理部２２２は、通信部２１０を介して、ネットワーク内における機器の現在の動作状況と将来の動作予定、各機能を動作させるために必要となる消費電力に関する情報を収集する(ＦＡ０２)。
【００２７】
ステップＦＡ０２において、動作予定管理部２２２によって取得されたネットワーク内の機器に関する将来の動作予定とは、例えば、あるネットワーク内の機器における予約録画や予約ダウンロード、予約視聴の状況や、ファームウェアのアップデート予定など、将来、当該機器が実行予定している動作に関する情報である。
【００２８】
続いて、動作予定管理部２２２は、（ＦＡ０２）で取得したネットワーク内における機器の現在の動作状況と将来の動作予定、及び各機能を動作させるために必要となる消費電力に関する情報を含む機器動作情報と（ＦＡ０１）で取得した予約録画動作の情報を基に、ネットワーク内の機器の動作予定表を作成し、当該予約録画動作を行う全時間の消費電力量が最小となる機器を特定する（ＦＡ０３）。図２では、例として、ネットワーク内の機器Ａが特定されたものとする。
【００２９】
図３は、動作予定管理部222によって収集された、ネットワーク内の機器Ａについての現在の動作状況と将来の動作予定、各機能を動作させるために必要となる消費電力に関する情報を含む機器動作情報の一例を示している。
【００３０】
図４は、動作予定管理部２２２によって作成された動作予定表の一例を示している。各機器の電源状態と動作状態、(FA01)において予約動作制御部221から指定された録画動作の実行可否、当該録画動作を実行した場合に追加で必要となる電力消費量、当該録画動作の実行時間内のネットワーク内における機器の動作予定から構成されている。ここで、図４の機器Ａ、機器Ｂ、機器Ｃとは、ネットワークに接続された機器で、映像処理装置２００によるステップＦＡ０２の情報収集が可能であった機器を指し、ネットワーク内の他機器の集合を表す映像処理装置３００や自機器である映像処理装置２００等のことである。
【００３１】
図４に示された動作に必要な追加消費電力量の計算について、図３を参照しつつ機器Ａを例にとって説明する。例えば機器Ａにおいて５時から７時までの録画を代行するためには、５時から５時半までは、録画動作に４０Ｗと起動状態を維持するための起動状態保持電力３０Ｗの合計７０Ｗが必要となるが、５時半から７時までは、予約ダウンロードが予定されていて起動状態となるため起動状態保持電力は必要なく、録画動作に４０Ｗのみ必要となる。つまり、７０Ｗ（録画動作の追加電力＋起動状態保持電力）×０．５時間＋４０Ｗ（録画動作の追加電力）×１．５時間＝９５Ｗｈとなる。
【００３２】
（ＦＡ０２）と（ＦＡ０３）の動作タイミングに関して、予約録画情報を予約動作制御部221から動作予定管理部222へ予め通知しておき、実行開始より前にタイマー等で自動実行させることで、(FA04)以降の処理の開始を早めることが可能となる。
【００３３】
続いて、動作モード制御部２２３は、予約動作制御部２２１によって指定された録画動作を、最小の追加消費電力で行える機器Ａの情報について、動作予定管理部２２２から取得し、機器Ａが自機器かどうかを判定し（ＦＡ０４）、機器Ａが自機器であった場合、通常の録画動作の実行を行う（ＦＡ０８）。
【００３４】
また、動作モード制御部２２３は、ステップＦＡ０４の判定において、機器Ａが自機器ではない場合について、機器Ａの動作状態がスタンバイであった場合、通信部２１０を介して機器Ａを起動状態へと遷移させる（ＦＡ０５）。
【００３５】
ステップＦＡ０５に続いて、動作モード制御部２２３は、上記録画動作の代行について機器Ａへ依頼する（ＦＡ０６）。
【００３６】
最後に、記録情報管理部２２４は、ＦＡ０１からＦＡ０６のステップによって録画動作を代行させたコンテンツの情報を、動作モード制御部２２３より取得し、録画動作を代行した機器の情報とともに保存する（ＦＡ０７）。
【００３７】
上記ステップＦＡ０１からＦＡ０８までの手順は、ダウンロード動作の場合も全く同様に行うことが可能である。
【００３８】
上記ステップＦＡ０２からＦＡ０７までの手順は、通常の起動状態で実行してもよいし、より消費電力の少ない専用の動作状態、もしくはスタンバイ状態で実行できるようにしてもよい。
次に、録画コンテンツの再生シーケンスについて、図５を参照して説明する。
【００３９】
まず、表示装置１００は、通信部１１０を介して記録情報管理部２２４より録画コンテンツ情報を取得し、当該録画コンテンツ情報を出力部１３０に表示し、その後、入力部１４０からリモコン操作情報を取得することで再生コンテンツを確定し、映像処理装置２００へ送信する（ＦＢ０１）。
【００４０】
ステップＦＢ０１において、記録情報管理部２２４は、表示装置１００に提供する録画コンテンツ情報として、記録部２４０などに保存された録画コンテンツ情報とともに、過去に録画動作の代行によって、自機器とは異なるネットワーク内の機器に録画されたコンテンツの情報についても記載された、統合録画コンテンツ情報を提供する。表示装置１００の出力部１３０によって出力される録画コンテンツ情報は、映像処理装置２００に直接録画されたものも、録画代行を実施し、映像処理装置２００の記録部２４０にはコンテンツが直接録画されていないものも、一括して表示することが可能となり、録画動作が代行されたことによって生じるユーザの負担を軽減できる。
【００４１】
続いて、映像処理装置２００の制御部２２０は、表示装置１００より通信部１１０と通信部２１０を介して、再生コンテンツに関する指示を受信する（ＦＢ０２）。
【００４２】
次に、映像処理装置２００の制御部２２０は、表示装置１００より指示されたコンテンツが自機器に記録されたものかどうかについて、記録情報管理部２２４の情報を基に判定する（ＦＢ０３）。
【００４３】
ステップＦＢ０３において、当該指示コンテンツが自機器とは異なるネットワーク内の機器へ録画代行されたコンテンツであると判定された場合、動作モード制御部２２３は当該指示コンテンツが保存されている機器の状態を調べ、スタンバイ状態であれば起動状態へ遷移させる（ＦＢ０４）。
【００４４】
ステップＦＢ０４に続いて、動作モード制御部２２３は、当該指示コンテンツが保存されている機器から、表示装置１００への、当該指示コンテンツの転送を依頼する（ＦＢ０５）。
【００４５】
最後に、動作モード制御部２２３は、ステップＦＢ０５における転送依頼が成功したことを確認した後、映像処理装置２００をスタンバイモードへ遷移させる（ＦＢ０６）。
【００４６】
上記ステップＦＢ０１からＦＢ０８までの手順は、ダウンロードコンテンツの場合も、全く同様に行うことが可能である。
〔第１実施例の効果〕
上記実施形態によれば、ネットワーク上の機器に録画動作などを代行させる場合において、動作代行の実施中に起動予定である機器を優先して利用するようにすることで、同時に起動状態となる機器をなるべく少なくすることで起動状態保持電力の消費を抑制し、ネットワーク機器全体での消費電力削減を達成することができる。
【実施例２】
【００４７】
次に、本発明の第２実施例について図６〜７を参照しつつ説明する。
【００４８】
上記第１実施例では、映像処理装置２００の制御部２２０に予約動作制御部２２１、動作予定管理部２２２、動作モード制御部２２３、記録情報管理部２２４が配置されていた。本実施例では、予約動作制御部、動作予定管理部、動作モード制御部、記録情報管理部が表示処理装置１００に配置される形態について述べる。
【００４９】
第１実施例では、表示装置１００がコンテンツ情報を格納するための記録部を持つ必要がない反面、表示装置１００と映像処理装置２００との間でのコンテンツ情報のやり取りを行う必要があり、動作遅延や電力消費量増大の原因となる恐れがあった。そこで、本実施例では、映像処理装置２００の制御部２２０ではなく、表示装置１００の制御部１２０に予約動作制御部１２１、動作予定管理部１２２、動作モード制御部１２３、記録情報管理部１２４を設け、上記の遅延や電力消費増大を解消することを可能にしたものである。ここで、予約動作制御部２２１と予約動作制御部１２１、動作予定管理部２２２と動作予定管理部１２２、動作モード制御部２２３と動作モード制御部１２３、記録情報管理部２２４と記録情報管理部１２４はそれぞれ、ほぼ同様の機能または動作を行うものとする。
〔第２実施例の構成〕
第２実施例の構成について、図６に示された機能構成図を用いてより詳細に説明する。本実施例は、公共ネットワーク１、ダウンロードサーバ２、ルータ３、放送局４、表示装置１００、映像処理装置２００、映像処理装置３００で構成されるものである。ただし、表示装置１００と映像処理装置２００以外のネットワーク内における全ての機器は、映像処理装置３００が代表しており、映像処理装置３００は、１つ以上の機器と考えてよい。
【００５０】
表示装置１００は、ネットワーク上の機器と通信を行う通信部１１０、各種演算や入出力制御を行う制御部１２０、映像、音声、テキストデータなどを出力するための出力部１３０、ユーザからの指示を受け取る入力部１４０、コンテンツ情報などを格納する記録部１５０を備えている。更に、表示装置１００は、ネットワーク内の機器からの映像コンテンツ受け取って出力部１３０へ出力する機能を備えており、例えば、映像処理装置２００から受け取った録画制御用の情報や録画コンテンツ情報を出力部１３０へ出力する。また表示装置１００は、予約動作制御部１２１が管理する録画制御用の情報や記録情報管理部１２４が管理している録画コンテンツ情報を、出力部１３０へ出力する機能も有している。
【００５１】
映像処理装置は、ネットワーク上の機器と通信を行う通信部２１０、演算や入出力制御を行う制御部２２０、映像コンテンツや制御情報を格納する記録部２４０、放送局４からの放送波を受信するチューナ部２３０を備えている。
【００５２】
映像処理装置２００は、放送局４の放送をチューナ部２３０で受信し、制御部２２０を介して、記録部240へ記録する録画機能を備える。またこの記録部は、公共ネットワーク１とルータ３を通じて通信部２１０で受信したダウンロードサーバ２のコンテンツも制御部２２０を介して記録するように構成されている。
【００５３】
記録部２４０は、放送やダウンロードのコンテンツ、制御情報などを保存することが可能なように、ハードウェア的には、ハードディスク、光ディスク、フラッシュメモリなどの大容量の記憶容量を有するストレージデバイスで構成されている。記録部１５０も同様に構成されているものとする。
【００５４】
表示装置１００の制御部１２０は、図６に示されるように、予約動作制御部１２１、動作予定管理部１２２、記録情報管理部１２４、動作モード制御部１２３を有する。予約動作制御部１２１は、設定された時間に録画やダウンロード等の機能の実行制御を行うものである。動作予定管理部１２２は、通信部を１１０介してネットワーク上の機器の動作予定を収集し、より少ない電力で所望する機能を実行できるような、ネットワーク内の機器を特定するものである。動作モード制御部１２３は、動作予定管理部１２２の特定した機器に対する電源ＯＮ／ＯＦＦや動作代行の制御、スタンバイモードや通常の起動モード間の遷移を制御するものである。記録情報管理部１２４は、ネットワーク内の機器に録画動作やダウンロード動作の代行を依頼したときのコンテンツの情報や、代行先の機器情報を保存するものである。
【００５５】
より詳しくは、動作予定管理部122は、所望の機能を動作させる前に、通信部１１０を介して、ネットワーク内の機器に関する現在の動作状況と将来の動作予定、及び各動作に必要とされる消費電力に関する情報を含む機器動作情報を収集し、所望の機能が動作予定である時間全体で、最小の消費電力で動作を実行できる状態にある機器を特定するものである。ここで、所望の機能とは例えば予約録画や予約ダウンロードなどであり、予め実行内容が決定している機能であるが、放送の視聴等、他の機能としてもよい。
【００５６】
また動作予定管理部１２２は、ネットワーク内の機器からの問い合わせに応じて、自機器に関する現在の動作状況と将来の動作予定、及び各動作に必要とされる消費電力に関する情報を送信する。
【００５７】
動作予定管理部１２２が動作予定を収集するネットワーク内の機器とは、公共ネットワーク１とはルータ３などによって隔てられた、ローカルなネットワーク内の機器を指し、自機器も含まれている。ただし、公共ネットワーク１を介した他機器も利用することが可能である。
【００５８】
動作予定管理部１２２が収集する将来の動作予定の内容とは、例えば、あるネットワーク内の機器における予約録画や予約ダウンロード、予約視聴の状況や、ファームウェアのアップデート予定など、将来、当該機器が動作を行うことが確定している情報である。
【００５９】
動作モード制御部１２３は、動作予定管理部１２２によって特定された、ネットワーク機器を調べ、当該ネットワーク機器が自機器ではなかった場合、当該ネットワーク機器に対する起動状態とスタンバイ状態との間での遷移操作、当該ネットワーク機器に対する所望の動作に関する代行依頼、自機器に関する起動状態とスタンバイ状態との間での遷移操作などを行うものである。
【００６０】
本実施例では、表示装置１００は、チューナ部を持たず、自機器による録画動作やダウンロード動作を行わない構成としているが、チューナ部を追加し自機器による録画動作やダウンロード動作も行う構成としてもよい。
〔第２実施例の動作〕
次に、以上のような機能的構成を有する本実施例におけるシステムの動作を、図面を参照しながら説明する。
【００６１】
本実施例が第１実施例と異なる点は、映像処理装置２００ではなく表示装置１００が録画動作の代行を制御する点である。このため、代行動作として、５時から７時の予約録画を代行させる場合の動作については、第１実施例と同様である。
【００６２】
ただし、各ステップにおいて、予約動作制御部２２１は予約動作制御部１２１と、動作予定管理部222は動作予定管理部１２２と、動作モード制御部２２３は動作モード制御部１２３と、記録情報管理部２２４は記録情報管理部１２４と読みかえるものとする。
【００６３】
次に、録画コンテンツの再生シーケンスについて、図７を参照して説明する。
【００６４】
まず、制御部１２０は、記録情報管理部１２４より録画コンテンツ情報を取得し、当該録画コンテンツ情報をリストとして出力部１３０に表示し、入力部１４０からリモコン操作情報を取得することで、再生するコンテンツを指定する（ＦＢ０１）。
【００６５】
ステップＦＢ０１において、記録情報管理部１２４は、過去に録画動作の代行を依頼した、ネットワーク内の機器と当該機器に録画されたコンテンツの情報について記載された、録画コンテンツ情報を提供する。
【００６６】
続いて、動作モード制御部２２３は当該指示コンテンツが保存されている機器の状態を調べ、スタンバイ状態であれば起動状態へ遷移させる（ＦＢ０４）。
【００６７】
ステップＦＢ０４に続いて、動作モード制御部２２３は、当該指示コンテンツが保存されている機器から表示装置１００への当該指示コンテンツの転送を依頼する（ＦＢ０５）。
【００６８】
上記ステップＦＢ０１、ＦＢ０４、ＦＢ０５の手順は、ダウンロードコンテンツの場合も、全く同様に行うことが可能である。
〔第２実施例の効果〕
第１実施例と第２実施例との違いは、表示装置１００が、映像処理装置２００や他のネットワーク内の機器に依存せずに、再生コンテンツを指定できることである。このため、本実施例では、表示装置１００と映像処理装置２００間の情報伝達や映像処理装置２００の起動と情報処理にかかる時間と消費電力を節約できるとの効果を奏する。
【実施例３】
【００６９】
次に、本発明の第３実施例について図８〜９を参照しつつ説明する。
【００７０】
上記第１と第２実施例では、動作予定管理部２２２もしくは動作予定管理部１２２が動作予定表を作成する場合、ネットワーク内の機器の動作予定として、予約録画や予約ダウンロードの予定など、確定した情報のみを利用していた。しかし、通常の放送視聴など確定していない動作についても考慮することで、より効率良く消費電力量を削減できる可能性がある。そこで、本実施例では、動作予定管理部２２２がネットワーク内の各機器から、将来の動作に関する確率的な情報も取得することで、録画動作の代行を依頼した場合の、各機器の消費電力量について、期待値として表現することを可能にしたものである。これに基づいて、動作代行の依頼を行うことで、より高い効率で消費電力量の削減を行える。
【００７１】
尚、本第３実施例の構成は、前述の第１実施例と同様であるため、ここではその詳細な説明を省略する。
〔第３実施例の動作〕
次に、本実施例のシステムの動作を、図面を参照しながら説明する。
【００７２】
本実施例が第１、第２の実施形態と異なる点は、動作予定管理部２２２もしくは動作予定管理部１２２が、ネットワーク内の機器より収集する情報内容や収集方法であり、この点を除き第１、第２実施例の動作と同様である。
【００７３】
動作予定管理部２２２と動作予定管理部１２２の動作は同一のため、ここでは動作予定管理部２２２で代表して記述する。
【００７４】
図８は、動作予定管理部２２２によって収集された、ネットワーク内の機器Ａについての現在の動作状況と将来の動作予定、将来の動作予定に関する確率的な情報、各機能を動作させるために必要となる消費電力に関する情報の一例を示している。
【００７５】
図９は、動作予定管理部２２２によって作成された動作予定表の一例を示している。かかる動作予定表は、各機器の電源状態と動作状態、予約動作制御部２２１から指定された動作の実行可否、当該動作を実行した場合に追加で必要となる電力消費量の期待値、当該動作の実行時間内におけるネットワーク内の機器の動作予定と動作実行確率から構成されている。ここで、図９の機器Ａ、機器Ｂ、機器Ｃとは、ネットワーク内の機器で、動作予定管理部２２２によって、動作予定や統計的な動作情報の収集が可能であった機器を指し、ネットワーク内の他機器の集合を表す映像処理装置３００や自機器である映像処理装置２００などのことである。
【００７６】
図９に示された動作に必要な追加消費電力量の期待値の計算について、図８を参照しつつ機器Ａを例にとって説明する。例えば５時から５時半の間で、２０％の確率で放送視聴が行われる可能性があり、放送視聴が行われた場合は、動作実行のために起動状態保持電力は必要ない。このため、この間の起動状態保持電力の期待値は、３０Ｗ（起動状態保持電力）×０．８（放送視聴により機器が起動状態とならない確率）＝２４Ｗとなる。７時までの録画を代行するためには、５時から５時半までは、録画動作に４０Ｗと起動状態を維持するための起動状態保持電力期待値２４Ｗの合計６４Ｗが必要となるが、５時半から７時までは、予約ダウンロードが予定されていて起動状態となるため起動状態保持電力は必要なく、録画動作に４０Ｗのみ必要となる。つまり、６４Ｗ（録画動作の追加電力+起動状態保持電力）×０．５時間＋４０Ｗ（録画動作の追加電力）×１．５時間＝９２Ｗｈとなる。
【００７７】
動作管理部２２２は、将来の動作に関する確率的な情報を取得することができない場合、定期的に現在の動作状態を取得することで、将来の動作に関する確率的な情報を自ら作成することができるようにしてもよい。
〔第３実施例の効果〕
第１、第２実施例が、予約録画や予約ダウンロードの予定など、確定した情報のみを利用していたのに対して、本実施例では、放送視聴など確定していない動作についても考慮することで、より効率良く消費電力量を削減できるとの効果を奏する。
【図面の簡単な説明】
【００７８】
【図１】第１実施例に係るシステム全体の機能構成図。
【図２】第１実施例に係る録画動作代行フローチャート。
【図３】第１実施例に係る収集されたネットワーク内の機器の動作予定と消費電力情報の一例。
【図４】第１実施例に係る作成された動作予定表の一例。
【図５】第１実施例に係る録画コンテンツ再生開始フローチャート。
【図６】第２実施例に係るシステム全体の機能構成図。
【図７】第２実施例に係る録画コンテンツ再生開始フローチャート。
【図８】第３実施例に係る収集されたネットワーク内の機器の動作予定と消費電力情報の一例。
【図９】第３実施例に係る作成された動作予定表の一例。
【符号の説明】
【００７９】
１  公共ネットワーク
２  ダウンロードサーバ
３  ルータ
４  放送局
１００  表示装置
１１０  通信部
１２０  制御部
１２１  予約動作制御部
１２２  動作予定管理部
１２３  動作モード制御部
１２４  記録情報管理部
１３０  出力部
１４０  入力部
１５０  記録部
２００  映像処理装置
２１０  通信部
２２０  制御部
２２１  予約動作制御部
２２２  動作予定管理部
２２３  動作モード制御部
２２４  記録情報管理部
２３０  チューナ部
２４０  記録部
３００  映像処理装置
【図１】
2010147621.tif 000003
【図２】
2010147621.tif 000004
【図３】
2010147621.tif 000005
【図４】
2010147621.tif 000006
【図５】
2010147621.tif 000007
【図６】
2010147621.tif 000008
【図７】
2010147621.tif 000009
【図８】
2010147621.tif 000010
【図９】
2010147621.tif 000011